(57)【要約】【課題】  指向性を有する平面アンテナを用いて携帯性に優れた携帯情報端末装置を提供すること。【解決手段】  平面アンテナ１１から受信した電波の電界強度レベルを検出し、電界強度が低い場合は、ユーザーに対して受信感度が低下していることを警告する。そして、その警告をもとに、ユーザーが装置自体を任意に回転させて、平面アンテナ１１を十分な受信感度が得られる方向を探知し、その後、操作部２を操作することで、表示画面３ａの表示画像の向きを見やすい向きに回転させることができるようにした。【選択図】        図６
2005045598.tif 000002
【特許請求の範囲】
【請求項１】
少なくとも映像情報が含まれている所要の周波数帯域の電波を受信するための平面アンテナと、
前記周波数帯域の電波から所望の送信信号を選択して受信を行う受信手段と、
前記受信手段で受信された前記送信信号の映像情報に基づいて映像を表示する表示手段と、
前記表示手段に表示される表示画像の向きと、前記平面アンテナの最大放射方向との関係を可変する可変手段と、
を備えていることを特徴とする携帯情報端末装置。
【請求項２】
前記可変手段は、
前記受信手段からの映像情報により生成される表示画像の向きを、所要の角度だけ回転させる画像回転処理部により構成されていることを特徴とする請求項１に記載の携帯情報端末装置。
【請求項３】
前記可変手段は、
前記平面アンテナが設けられるアンテナ部位と、前記表示手段が設けられる表示部位とを回動可能な回動機構により構成されていることを特徴とする請求項１に記載の携帯情報端末装置。
【請求項４】
前記可変手段は、
プラグとジャックとからなり、
前記プラグを前記ジャックに接続することで、前記平面アンテナを前記表示手段に対して回動可能に接続するようにして構成されていることを特徴とする請求項１に記載の携帯情報端末装置。
【請求項５】
前記プラグは、
折り曲げ自在に構成されていることを特徴とする請求項４に記載の携帯情報端末装置。
【請求項６】
前記平面アンテナで受信される電波の電界強度を検出する電界強度検出手段と、
前記電界強度検出手段の検出結果を提示する提示手段と、
を備えていることを特徴とする請求項１に記載の携帯情報端末装置。
【発明の詳細な説明】
【技術分野】
【０００１】
本発明は、例えばテレビジョン放送波などの映像情報を受信できる携帯情報端末装置に関するものである。
【背景技術】
【０００２】
従来から、例えば、携帯可能な大きさでテレビジョン放送波を受信することができるＴＶ放送受信装置としては、テレビジョン放送受信用アンテナとして、図１６に示すような棒状アンテナ１０１が設けられたＴＶ放送受信端末装置１００が知られている。
【０００３】
また、移動体端末装置としては、マイクロストリップアンテナなどにより構成される平面アンテナを受信機本体の上部に取り付け、この平面アンテナを受信機本体に対して回動可能とすることで、受信機のディスプレイの方向を変えた場合でも、平面アンテナを最大放射方向に向けることができるようにしたアンテナ一体型受信機なども提案されている（特許文献１）。
【０００４】
【特許文献１】特開平６−２３７１８８号公報
【発明の開示】
【発明が解決しようとする課題】
【０００５】
ところで、地上波などのテレビジョン放送は、ＶＨＦ（Very High Frequency）帯、及びＵＨＦ（Ultra High Freqency）帯の電波を利用している。例えばＵＨＦ帯の電波を利用したテレビジョン放送であれば、ＵＨＦ帯（３００ＭＨｚ〜３０００ＭＨｚ）の電波のうち、４７０ＭＨｚ〜７７０ＭＨｚの周波数範囲の電波を利用しているため、テレビジョン放送波を受信するＴＶ放送受信端末装置１００では、どうしても棒状アンテナ１０１の形状が長大になる。このため、携帯性を損なうという欠点があった。また、美観的にも好ましいものではなかった。
【０００６】
そこで、例えば棒状アンテナ１０１の代わりに、ＴＶ放送受信端末装置１００に対して平面アンテナを組み込むことが考えられる。
しかしながら、平面アンテナは指向性を持っているため、アンテナの最大放射方向を常に放送電波が送信されてくる基地局の方向に向けておく必要がある。
このため、例えば携帯可能なＴＶ放送受信端末装置１００では組み込んだ平面アンテナの向きによって受信感度が低下して画像の品質が損なわれるという欠点があった。
【０００７】
また、上記特許文献１に記載されているアンテナ一体型受信機は、路上側に設置した送信機から送信されてくる交通情報（位置情報、渋滞情報、事故情報等々）を受信するための車載受信機としてのアンテナ一体型受信機に関するものであり、電波の到来方向が特定方向（車両進行方向の前後方向及び斜め上方方向）が限られた電波を受信するためのものとされる。
このため、上記特許文献１に記載されているアンテナ一体型受信機では、例えば四方八方あらゆる方向から電波が到来してくるテレビジョン放送波などは受信することはできないものと考えられる。
【０００８】
そこで、本発明は上記したような点を鑑みてなされたものであり、携帯性に優れ、しかもあらゆる方向から到来してくる電波の受信映像をより良い品質で表示することができる携帯情報端末装置を提供することを目的とする。
【課題を解決するための手段】
【０００９】
上記目的を達成するため、本発明の携帯情報端末装置は、少なくとも映像情報が含まれている所要の周波数帯域の電波を受信するための平面アンテナと、周波数帯域の電波から所望の送信信号を選択して受信を行う受信手段と、受信手段で受信された送信信号の映像情報に基づいて映像を表示する表示手段と、表示手段に表示される表示画像の向きと、平面アンテナの最大放射方向との関係を可変する可変手段とを備えて構成するようにした。
【００１０】
即ち、このような本発明では可変手段により表示手段に表示される表示画像の向きを可変する、または平面アンテナの最大放射方向の向きを可変することができるように構成した。これにより、平面アンテナの最大放射方向を電波の到来方向に向けると共に、表示手段に表示する表示画像を所望の向きにすることが可能になる。
【発明の効果】
【００１１】
以上の説明からわかるように、本発明の携帯情報端末装置では、可変手段により表示手段に表示される表示画像の向きを可変する、または平面アンテナの最大放射方向の向きを可変することができるようにした。このように構成すれば、平面アンテナの最大放射方向を電波の到来方向に向けた状態で、表示画像を見やすい向きで表示することができるようになる。
即ち、本発明によれば、指向性を有する平面アンテナを用いて移動体端末装置として利用可能な携帯情報端末装置を構成すれば、例えばテレビジョン放送波などのような放送電波をより良い映像品質で表示することができるようになる。
また、平面アンテナを用いることで、アンテナの小型化を図ることが可能になるので携帯性にも美観的にも優れた携帯情報端末装置を実現することができるようになる。
【発明を実施するための最良の形態】
【００１２】
以下、本発明の実施の形態としての携帯情報端末装置について説明する。
なお、本実施の形態では、本発明の携帯情報端末装置の一例としてテレビジョン放送を受信可能な携帯タイプの放送受信装置を例に挙げて説明する。
【００１３】
図１は、本発明の第１の実施の形態としての放送受信装置の外観構造を示した図である。
この図１に示す放送受信装置１は、例えば携帯可能サイズで、テレビジョン放送を受信して表示画面３ａ上にテレビジョン画像を表示可能とされる。
表示画面３ａは、例えば液晶ディスプレイやプラズマディスプレイなどの表示デバイスによって構成される。もちろん表示画面３ａは他の表示デバイスを用いて構成することももちろん可能である。
【００１４】
また、放送受信装置１に対する各種操作は、操作部２に設けられている操作キーを操作することにより行うことができる。
操作部２には、操作キーとして、例えば電源オンオフキーや選局キー等と共に表示画面３ａに表示される画像の向きを回転させる画像回転キーが設けられている。なお、画像回転キーについては後述する。
【００１５】
なお、放送受信装置１には、図示していないが、音声を出力するためのスピーカなども設けられていることは言うまでもない。
【００１６】
また、図１に示す放送受信装置１では、その上面部にテレビジョン放送波を受信するための平面アンテナ１１が取り付けられている。これにより、上記図１６に示したような棒状アンテナ１０１を備えたＴＶ放送受信端末装置１００に比べてアンテナ部分の突起を小さくすることができるので、携帯性に優れたものとなっている。
【００１７】
なお、放送受信装置１に平面アンテナ１１を取り付ける場合、例えば放送受信装置１にカード型メモリを着脱する着脱部が設けられているときは、平面アンテナ１１をカード型メモリと同一の形状サイズにすれば、メモリ着脱部を利用して着脱を行うことも可能である。もちろん、カード型メモリ以外でも、放送受信装置１に着脱部が設けられていれば、例えばＰＣカードなどの着脱部が設けられていれば、ＰＣカードの着脱部を利用して着脱を行うことも可能である。
その場合は、平面アンテナ１１が着脱部を介して放送受信装置１の所要の回路ブロックに対して電気的に接続されることは言うまでもない。
【００１８】
また、図１に示す放送受信装置１では、その上面部に対して平面アンテナ１１を取り付けるようにしているが、これはあくまでも一例であり、図９に示すように、放送受信装置１の側面部に対して平面アンテナ１１を取り付けるように構成することも可能である。
もちろん、平面アンテナ１１は放送受信装置１の内部に収容することも可能であり、その場合は、外部から平面アンテナ１１が見えなくなるので平面アンテナ１１により放送受信装置１の美観が損なわれることがないという利点がある。
【００１９】
また、図１０（ａ）に示すように、平面アンテナ１１を放送受信装置１の背面側に取り付けることも可能である。
また、平面アンテナ１１を透明なガラス基板にＩＴＯ（Indium Tin Oxide）などの透明電極を用いて形成すれば、図１０（ｂ）に示すように、放送受信装置１の正面側、即ち表示画面３ａの前面に配置することも可能である。
【００２０】
ここで、図２に、上記したような平面アンテナ１１の一構造例を示す。
図２に示す平面アンテナ１１は、例えばプリント基板または誘電体セラミック基板などに内層される金属パターンを利用して給電導体３１が形成されている。
給電導体３１の一端側には、給電部３２が設けられており、この給電部３２により給電電流を励振させることで、電波を放射又は受信するためのアンテナ素子を形成するようにしている。
給電導体３１は、所定長の金属パターンを曲折させた、いわゆるミアンダ形状に形成されている。これにより、より小さい平面サイズで、しかもより低い共振周波数が得られるようにしている。
また、プリント基板または誘電体セラミック基板の表面両側に設けられている金属パターンを利用して、基板両側に無給電導体３３，３３を形成するようにしている。この場合の無給電導体３３，３３は平板状とされ、給電導体３１の両側を覆うように配置される。
【００２１】
なお、給電導体３１の形状は、必ずしもミアンダ形状である必要はなく、より小さい平面サイズで、より低い共振周波数が得られれば他の形状、例えば螺旋状などであっても良い。また、無給電導体３３はプリント基板などの上面又は下面の何れか一方だけに形成するようにしても良い。
【００２２】
この場合、給電導体３１と無給電導体３３，３３との間にはプリント基板の基板材料が誘電体３４，３４として設けられることになる。例えばプリント基板の基板材料がガラスエポキシ樹脂であれば、その誘電率は４．７とされる。
このように平面アンテナ１１を形成した場合には、無給電導体３３，３３が給電導体３１と電磁的に結合して電波の放射を促進させることができるようになる。
【００２３】
また、平面アンテナ１１では、給電導体３１と無給電導体３３，３３との間に設けた誘電体３４，３４の内部では電波の伝搬速度が遅くなる。
このため、図２に示す平面アンテナ１１においては、給電導体３１の両側に無給電導体３３，３３を配置すると共に、その間に誘電体３４，３４を設け、これら誘電体３４，３４により給電導体３１の電気長を実際の物理長より長くして共振周波数の低減を図るようにしている。
【００２４】
このように構成すれば、単に給電導体３１を用いて平面アンテナを形成する場合に比べて、より小さい平面サイズで、より共振周波数の低いアンテナを形成することができるようになる。なお、給電導体３１と誘電体３４だけでは、上記したような効果は殆ど得られないものとされる。
また、このように構成した場合は、給電導体３１を無給電導体３３，３３により囲まれた構造となるので、例えば給電導体３１が露出するような構造の二次元平面アンテナより外的要因の影響を受けにくいという利点もある。
【００２５】
なお、図２に示した平面アンテナ１１においては、給電導体３１の両側に無給電導体３３，３３を配置するようにしているが、給電導体３１の何れか一方の面との間で、誘電体３４を挟んで無給電導体３３を配置するだけでも、給電導体３１と、無給電導体３３との電磁結合によってアンテナからの電波の放射を促進することができる。
【００２６】
また、その場合も給電導体３１と無給電導体３３との間に設けられている誘電体３４によって単に給電導体３１を用いて平面アンテナを形成する場合より、小さい平面サイズで共振周波数の低いアンテナを形成することが可能とされる。
【００２７】
図３は、平面アンテナ１１の指向特性を示した図であり、同図（ａ）には特性図、同図（ｂ）には測定条件が示されている。
なお、図３（ａ）に示す平面アンテナ１１の指向特性は、図３（ｂ）にも示されているように、プリント基板の基板厚が０．８mm、誘電率が４．７、給電導体３１の全長が３５５．６mm、給電導体３１の導体幅が０．２mm、オフセット幅が１．０mm、「両面無給電導体あり」という条件のもとで形成した平面アンテナを用いて測定したものとされる。
【００２８】
この図３（ａ）からわかるように、上記図２に示したような平面アンテナ１１は、給電部３２の反対方向に電波を放射するような指向特性、すなわちアンテナの最大放射方向を有するような指向特性を有するものとされる。
【００２９】
このことから、平面アンテナ１１は、例えば図４に示すように、そのアンテナ最大放射方向がテレビジョン放送電波を送信している基地局（放送局）１０の方向（若しくは電界強度最大方向）に向けられているときに、平面アンテナ１１により基地局１０からのテレビジョン放送電波を良好な状態で受信することができるものとされる。
【００３０】
しかしながら、上記図１に示したような放送受信装置１などの携帯情報端末装置は携帯使用が主であるため、例えば、通常の据置タイプのテレビジョン受像機のように、テレビジョン放送などの放送電波の到来方向を特定することができないものとされる。
このため、例えば図５（ａ）に示すように、放送受信装置１に設けられている平面アンテナ１１のアンテナ最大放射方向が、基地局（放送局）１０の方向（若しくは電界強度最大方向）に向けられていないときは、受信感度が低下して、表示画面３ａに表示される映像（画像）の画質が大幅に劣化したり、或いは表示できなくなるといった不具合が生じることになる。
【００３１】
そこで、その場合には、ユーザーＵが放送受信装置１の向きを替えて、受信感度の良い方向に平面アンテナ１１を向けることが考えられる。
例えば、図５（ｂ）に示すように、放送受信装置１の平面アンテナ１１の最大放射方向を基地局１０の方向に向けたときに、テレビジョン放送電波を良好な状態で受信できたときは、放送受信装置１を、図５（ａ）に示すような向きから、図５（ｂ）に示す向きに装置本体を１８０°回転させるようにすることが考えられる、
【００３２】
しかしながら、放送受信装置１を、図５（ａ）に示すような向きから、図５（ｂ）に示すような向きにした場合は、表示画面３ａに表示される画像が１８０°回転した画像になってしまうため、ユーザーＵにとっては非常に見にくい画像になってしまう。
【００３３】
そこで、図１に示した本実施の形態の放送受信装置１では、操作部２に画像回転キーを設けておき、ユーザーがこの画像回転キーを操作することで、図５（ｂ）に示したような１８０°の回転画像を回転させて、図６に示すような適正な向きの画像として表示画面３ａに表示できるように構成したものである。
【００３４】
図７は、上記したような画像表示を実現するために、映像受信装置１に設けられている映像処理系ブロックの構成を示した図である。
この図７において、平面アンテナ１１により受信可能な周波数帯域のテレビジョン放送電波は、電界強度検出部１２を介してテレビジョン（ＴＶ）放送受信部１３に入力される。
電界強度検出部１２では、平面アンテナ１１から入力されるＴＶ放送電波の電界強度レベルを検出し、その検出結果を制御部１６に出力するようにされる。
【００３５】
受信手段であるＴＶ放送受信部１３は、入力されるＴＶ放送電波から所望のテレビジョン放送信号（送信信号）を選択してチューナ、選択した放送信号を復調する復調回路などにより構成され、復調回路で復調した映像信号（映像データ）を後段の映像信号処理部１４に出力するようにされる。
【００３６】
映像信号処理部１４は、例えば画像メモリなどを備えて構成されている。そして制御部１６の制御に基づいて、ＴＶ放送受信部１３から入力される映像信号に対して所要の信号処理を施すようにされる。
例えば、映像信号処理部１４では、ＴＶ放送受信部１３からの映像データを画像メモリに書き込むときの書き込み順序と、画像メモリから読み出すときの読み出し順序を変えるなどして、表示画面３ａに表示する画像を１８０°回転させるといった画像回転処理をリアルタイムで行うことが可能とされる。
【００３７】
そして、上記したような映像信号処理部１４で所要の信号処理が施された映像信号が映像表示回路１５を介して表示部３の表示画面３ａ上に表示画像として表示するようにされる。この場合、映像表示回路１５は、映像信号処理部１４からの画像データをアナログの画像信号に変換するＤ／Ａコンバータ、及び表示部３に応じたドライブ回路を備えて構成されている。
【００３８】
制御部１６は、当該放送受信装置１全体の制御を行うと共に、上記電界強度検出部１２からの検出結果により、平面アンテナ１１において受信されるべき電波の電界強度が所定レベル以下のとき、すなわち表示画面３ａに適正品質の画像を表示することができないレベルのときは、警告部１７により、ユーザーに対して受信感度が低いことを提示するようにしている。
【００３９】
警告部（提示手段）１７は、例えば機器本体に表示ランプを設けて形成する、或いは表示画面３ａに受信感度が低いこと示すメッセージなどを表示するすることが考えられる。また、放送受信装置１に設けられている音声出力機能を利用して形成することも考えられる。
また、警告部１７は、表示画面３ａの一部に受信感度の強弱を表示することも考えられる。例えば表示画面３ａに受信感度の強弱をアンテナの本数により表示するようにしても良い。
【００４０】
このように本実施の形態の放送受信装置１においては、電界強度検出部１２で、平面アンテナ１１において受信すべき電波の電界強度を検出するようにしている。そして、電界強度検出部１２の電界強度レベルが低いときは、警告部１７によりユーザーに対して受信感度が低いことを警告するようにしている。
これにより、ユーザーは、放送受信装置１の向きを替えるなどして平面アンテナ１１で十分な受信感度が得られる方向の探知を行うようにする。
そしてその結果、表示画面３ａに表示される画像の向きと、ユーザー自身の視聴位置との関係から表示画像が見にくいときは、操作部２の画像回転キーを操作して表示画像を回転させることで、画像を見やすい向きで表示することができるようになる。
即ち、このように構成すれば、指向性を有する平面アンテナを用いた場合でも、あらゆる方向から到来してくるテレビジョン放送電波の受信映像をより良い品質で表示することができる放送受信装置１を実現することができるようになる。
【００４１】
なお、操作部２の画像回転キーの操作による画像を回転角度などは任意に設定すれば良いものとされる。例えば、画像回転キーを１回操作したときに画像を９０°、または１８０°回転させるようにする。また、画像回転キーを長押ししたときは連続的に画像を回転させるようにすることが考えられる。
【００４２】
但し、図１に示した放送受信装置１は、表示画面３ａの縦横比が異なっているため、表示画像を通常向きでの表示状態（図４に示す向きの表示状態）から表示画像を９０°回転させたときでは画像のサイズが異なるものとなってしまう。
【００４３】
そこで、第１の実施の形態としての放送受信装置は、図８に示すように構成することも考えられる。
この図８に示す放送受信装置４１は、表示画面４２を略円形状に形成し、その中央部分に画像を表示するように構成したものである。
このように構成すれば、放送受信装置４１の向きを受信感度に合わせて替えた場合でも、表示画面４２は同じ形状となるので、表示画面４２には任意の向きに回転させた画像を表示することができるようになる。
【００４４】
次に、図１１は、第２の実施の形態としての放送受信装置の構成を示した図である。
この図１１に示す放送受信装置５１は、平面アンテナ１１が設けられているアンテナ部位である本体部５２と、表示デバイスが設けられている表示部位５３とを回動可能に接続するようにしている。
従って、このような放送受信装置５１では、表示部位５３をユーザーが見やすい位置に向けたうえで、平面アンテナ１１で十分な受信感度が得られるように本体部５２を適宜回転させるようにしている。つまり、表示部位５３に設けられている表示画面５４の向きを替えることなく、平面アンテナ１１を受信感度の良い方向に向けることができるように構成されている。
【００４５】
ここで、図１２、図１３を用いて、上記図１１に示した放送受信装置５１の使用態様について説明する。
この場合も、図１２（ａ）に示すように、例えば放送受信装置５１の平面アンテナ１１の最大放射方向が基地局１０の方向に向けられていないときは、受信感度が低下して、表示画面５４に表示される映像の画質が大幅に劣化したり、或いは画像を表示することができなくなる。
そこで、この場合もユーザーＵが放送受信装置５１の向きを替えるなどして、平面アンテナ１１のアンテナ最大放射方向を基地局１０の方向に向けることになる。
ここで、例えば放送受信装置５１の向きを、図１２（ｂ）に示すように、図１２（ａ）から見て右に９０°回転させたときに、良好な受信状態が得られたとすると表示画面５４に表示される画像が９０°回転した画像になってしまうため、ユーザーにとっては非常に見にくい画像になってしまう。
【００４６】
そこで、そのような場合には、図１３に示すように、表示部位５３の表示画面５４を動かすことなく、平面アンテナ１１が設けられている本体部５２だけを機械的に回転させることで、表示画面５４に画質の良い画像を表示することができるようになる。
したがって、このように構成した場合も、あらゆる方向から到来してくるテレビジョン放送電波の受信映像をより良い品質で表示することができる放送受信装置５１を実現することができるようになる。
【００４７】
なお、このような放送受信装置５１の映像処理系ブロックの構成は、上記図７とほぼ同様の構成により実現することができるため、図示及びその詳細な説明は省略する。
但し、放送受信装置５１では、機械的な回転機構によって、表示部位５３の表示画面５４を見やすい向きに向けた状態で、本体部５２を回動させて平面アンテナ１１の最大放射方向を任意の方向に向けるようにしていることから、放送受信装置５１の映像信号処理部１４（図７参照）では、表示画像を回転させる画像変換処理を行う必要はないものとされる。またこれに伴って操作部２に表示画像を回転させるための画像回転キーを設ける必要もない。
【００４８】
このように本実施の形態の放送受信装置５１においては、本体部５２と表示部位５３とを別々に構成したうえで、これら本体部５２と表示部位５３とを回動可能に接続するようにしている。そのうえで、電界強度検出部１２（図７参照）で、電界強度レベルを検出し、電界強度が低い場合は、警告部１７からユーザーに対して受信感度が低下していることを警告するようにしている。
したがって、ユーザーは、表示部位５３を動かすことなく本体部５２だけを機械的に適宜回転させて、平面アンテナ１１において、十分受信感度が得られる方向を探知するようにしている。
従って、このように構成した場合も、表示画面５４を回転させることなく、平面アンテナ１１だけを受信感度の良い方向に向けることができるようになる。
【００４９】
また、図１４は第３の本実施の形態としての放送受信装置７１の構成を示した図である。
この図１４（ａ）（ｂ）（ｃ）に示す放送受信装置７１は、本体部７２に対して平面アンテナ８１だけが回動可能に接続するように構成されている。
このため、同図（ａ）に示すように、表示画面７３ａや操作部７３ｂなどが設けられている本体部７２の上面には平面アンテナ８１に設けられているプラグ８２を挿入するためのジャック７４が設けられている。もちろん、プラグとジャックとは逆に取り付けても良い。
【００５０】
そして、このジャック７４にプラグ８２を挿入することで、同図（ｂ）に示すように放送受信装置７１の本体部７２に対して平面アンテナ８１が電気的、且つ、機械的に接続することができるようになる。また、この場合は、同図（ｃ）に示すように、プラグ８２を軸にして平面アンテナ８１だけを３６０°回転させることができる。
【００５１】
なお、このような放送受信装置７１の映像処理系ブロックの構成は、上記図７に示したブロック図とほぼ同様の構成により実現することができるため、図示、及びブロックの詳細な説明は省略するが、この場合も、表示画面７３ａを所望の向きにした状態で、平面アンテナ８１だけを機械的に回動させて受信感度の良い方向に向けることができることから、映像信号処理部１４（図７参照）では表示画像を回転させる画像回転処理を行う必要がない、また操作部７３ｂに画像を回転させるための画像回転キーを設ける必要もない。
【００５２】
このように放送受信装置７１においても、平面アンテナ８１の受信感度が低下したときは、ユーザーが平面アンテナ８１だけを回転させて、十分受信感度が得られる方向を探知すれば、表示画面７３ａの向きを動かすことなく、平面アンテナ８１だけを受信感度の良い方向に向けることができるようになる。
また、この場合は、平面アンテナ８１を取り外すことで、使用していないときの携帯性が非常に優れたものとなる。
【００５３】
また図１５に示すように、平面アンテナ８１のプラグ９１を拡大して示すように２つの軸９１ａと９１ｂにより構成してプラグ９１を折り曲げ自在に形成すれば、平面アンテナ８１の最大放射方向をより自在に向けることが可能になる。
【００５４】
なお、本実施の形態では、本発明の携帯情報端末装置の一例としてテレビジョン放送を受信する放送受信装置を例に挙げて説明したが、これはあくまでも一例であり、本発明の携帯情報端末装置としての機能は、例えば携帯電話、携帯情報端末（ＰＤＡ：Personal Digital assistants）、携帯ゲーム装置等の各種携帯装置に付加することが可能である。
また、例えば、本発明の映像受信装置を音声信号と共に映像信号の送受信を行うテレビ電話送受信装置などに適用することも可能である。
【００５５】
さらに、本実施の形態においては、電界強度検出部１２で、平面アンテナ１１において受信すべき電波の電界強度を検出し、電界強度検出部１２の電界強度レベルが低いときは、警告部１７によりユーザーに対して受信感度が低いことを警告するようにしているが、受信感度は表示画面に表示される表示画像によっても判断できるので電界強度検出部１２と警告部１７は必ずしも設ける必要はない。
【図面の簡単な説明】
【００５６】
【図１】本発明の第１の実施の形態としての放送受信装置の構成を示した図である。
【図２】第１の実施の形態とされる放送受信装置に適用可能な平面アンテナの一例を示した図である。
【図３】図２に示した平面アンテナの指向特性を示した図である。
【図４】第１の実施の形態とされる放送受信装置の使用態様例を示した図である。
【図５】第１の実施の形態とされる放送受信装置の使用態様例を示した図である。
【図６】第１の実施の形態とされる放送受信装置の使用態様例を示した図である。
【図７】第１の実施の形態とされる放送受信装置の映像処理系のブロック図である。
【図８】第１の実施の形態とされる放送受信装置の他の構成例を示した図である。
【図９】第１の実施の形態とされる放送受信装置の他の構成を示した図である。
【図１０】平面アンテナの他の配置例を示した図である。
【図１１】第２の実施の形態としての放送受信装置の構成を示した図である。
【図１２】第２の実施の形態とされる放送受信装置の使用態様例を示した図である。
【図１３】第２の実施の形態とされる放送受信装置の使用態様例を示した図である。
【図１４】第３の実施の形態としての放送受信装置の構成を示した図である。
【図１５】第３の実施の形態としての放送受信装置の構成を示した図である。
【図１６】従来のＴＶ放送受信装置の外観図である。
【符号の説明】
【００５７】
１  ４１  ５１  ７１  放送受信装置、２  ７３ｂ  操作部、３ａ  ４２  ５４  ７３ａ  表示画面、３  表示部、１０  基地局、１１  ４３  ８１  平面アンテナ、１２  電界強度検出部、１３  放送受信部、１４  映像信号処理部、１５  映像表示回路、１６  制御部、１７  警告部、３１  給電導体、３２  給電部、３３  無給電導体、３４  誘電体、５２  ７２  本体部、５３  表示部位、７４  ジャック、８２  ９１  プラグ
【図１】
2005045598.tif 000003
【図２】
2005045598.tif 000004
【図３】
2005045598.tif 000005
【図４】
2005045598.tif 000006
【図５】
2005045598.tif 000007
【図６】
2005045598.tif 000008
【図７】
2005045598.tif 000009
【図８】
2005045598.tif 000010
【図９】
2005045598.tif 000011
【図１０】
2005045598.tif 000012
【図１１】
2005045598.tif 000013
【図１２】
2005045598.tif 000014
【図１３】
2005045598.tif 000015
【図１４】
2005045598.tif 000016
【図１５】
2005045598.tif 000017
【図１６】
2005045598.tif 000018